(57)【要約】【課題】  装置の操作に不馴れなユーザにとっても、試料の分析の結果得られた粒子分布図の内容を容易に把握することができる試料分析装置、粒子分布図表示方法、及びコンピュータプログラムを提供する。【解決手段】  試料分析装置１は、尿試料を測定し、尿試料に含まれる粒子に関する特徴パラメータ情報を取得する測定ユニット２と、測定ユニット２により取得された特徴パラメータ情報に基づいて、尿試料中の粒子の特徴パラメータ情報に関する分布状態を示す粒子分布図を生成し、生成された粒子分布図における前記分布状態を説明する説明情報を付加して、粒子分布図を画像表示部３２に表示させる情報処理ユニット３とを備える。【選択図】    図１
2010014405.tif 000002
【特許請求の範囲】
【請求項１】
粒子を含む試料を測定し、粒子に関する特徴パラメータ情報を取得する測定部と、
前記測定部により取得された特徴パラメータ情報に基づいて、前記試料中の粒子の前記特徴パラメータ情報に関する分布状態を示す粒子分布図を生成する粒子分布図生成手段と、
表示部と、
前記粒子分布図生成手段によって生成された粒子分布図における前記分布状態を説明する説明情報を付加して、前記粒子分布図を前記表示部に表示させる表示制御手段と、
を備える試料分析装置。
【請求項２】
前記測定部により取得された特徴パラメータ情報に基づいて、前記粒子分布図における前記分布状態に応じて変化する前記説明情報を生成する説明情報生成手段をさらに備え、
前記表示制御手段は、前記説明情報生成手段によって生成された前記説明情報を付加して、前記粒子分布図を前記表示部に表示させるように構成されている、請求項１に記載の試料分析装置。
【請求項３】
前記表示制御手段は、前記粒子分布図を前記表示部に表示させる第１表示制御手段を備え、
前記試料分析装置は、
前記表示部に表示された前記粒子分布図の指定を受け付ける入力部と、
前記表示部に表示された前記粒子分布図が指定されたか否かを判定する判定手段と、
をさらに備え、
前記表示制御手段は、前記粒子分布図が指定されたと前記判定手段により判定された場合に、前記説明情報を、前記粒子分布図が表示された前記表示部に表示させる第２表示制御手段をさらに備える、請求項１又は２に記載の試料分析装置。
【請求項４】
前記表示部に表示された前記粒子分布図が指定された状態において、前記粒子分布図の指定が解除されたか否かを判定する指定解除判定手段をさらに備え、
前記第２表示制御手段は、前記説明情報が前記表示部に表示されている場合において、前記指定解除判定手段により前記指定が解除されたと判定されたときに、前記説明情報の表示を終了するように構成されている、請求項３に記載の試料分析装置。
【請求項５】
前記表示制御手段は、前記粒子分布図の上に前記説明情報を重ねて前記表示部に表示させるように構成されている、請求項１乃至４の何れかに記載の試料分析装置。
【請求項６】
前記表示制御手段は、前記表示部に設けられた表示領域の一部に前記粒子分布図を表示させ、且つ、前記表示領域における前記粒子分布図が表示されている部分の外側に、前記説明情報を表示させるように構成されている、請求項１乃至４の何れかに記載の試料分析装置。
【請求項７】
前記測定部により取得された前記特徴パラメータ情報に基づいて、前記試料に含まれる粒子を複数種類に分類する分類手段をさらに備え、
前記表示制御手段は、前記分類手段による分類結果を示す情報を含む前記説明情報を、前記粒子分布図に付加して前記表示部に表示させるように構成されている、請求項１乃至６の何れかに記載の試料分析装置。
【請求項８】
前記粒子分布図において複数の種類の粒子がそれぞれ出現する位置に基づいて、粒子の種類を示す種類情報の表示に関する前記粒子分布図上の位置を前記粒子の種類毎に決定する位置決定手段をさらに備え、
前記表示制御手段は、前記分類結果を示す情報として、前記複数の種類情報を前記位置決定手段によって決定された位置に関連づけて表示させるように構成されている、請求項７に記載の試料分析装置。
【請求項９】
前記分類手段によって分類された粒子の数を種類毎に計数する計数手段をさらに備え、
前記表示制御手段は、粒子の種類に関連づけて、粒子数を含む前記説明情報を前記表示部に表示させるように構成されている、請求項７又は８に記載の試料分析装置。
【請求項１０】
前記計数手段による計数結果が異常か否かを粒子の種類毎に判定する計数異常判定手段をさらに備え、
前記表示制御手段は、前記計数異常判定手段により計数結果が異常と判定された粒子の種類が存在する場合に、異常と判定された粒子の種類に関連づけて、計数結果の異常を示す計数異常情報を含む前記説明情報を前記表示部に表示させるように構成されている、請求項９に記載の試料分析装置。
【請求項１１】
前記分類手段による分類結果が異常か否かを判定する分類異常判定手段と、
前記分類異常判定手段により分類結果が異常と判定された場合に、前記粒子分布図における当該分類結果の異常が発生した位置に基づいて、当該分類結果の異常を示す分類異常情報の表示に関連する前記粒子分布図上の位置を決定する異常表示位置決定手段と、
をさらに備え、
前記表示制御手段は、前記分類異常判定手段により分類結果が異常と判定された場合に、前記分類異常情報を含む前記説明情報を、前記異常表示位置決定手段によって決定された位置と関連づけて表示させるように構成されている、請求項７乃至１０の何れかに記載の試料分析装置。
【請求項１２】
前記測定部は、前記試料を測定し、互いに異なる第１及び第２特徴パラメータ情報をそれぞれ取得するように構成されており、
前記粒子分布図生成手段は、前記粒子分布図として、第１軸が前記第１特徴パラメータ情報を示し、第２軸が前記第２特徴パラメータ情報を示すスキャッタグラムを生成するように構成されている、請求項１乃至１１の何れかに記載の試料分析装置。
【請求項１３】
前記粒子分布図生成手段は、前記粒子分布図として、前記特徴パラメータ情報に関するヒストグラムを生成するように構成されており、
前記試料分析装置は、前記粒子分布図生成手段によって生成された前記ヒストグラムのピークを検出する検出手段をさらに備え、
前記表示制御手段は、前記検出手段によって検出されたピークに関する情報を含む前記説明情報を付加して、前記ヒストグラムを前記表示部に表示させるように構成されている、請求項１乃至１２の何れかに記載の試料分析装置。
【請求項１４】
粒子を含む試料を測定し、粒子に関する特徴パラメータ情報を取得するステップと、
取得された特徴パラメータ情報に基づいて、前記試料中の粒子の前記特徴パラメータ情報に関する分布状態を示す粒子分布図を生成するステップと、
生成された粒子分布図における前記分布状態を説明する説明情報を付加して、前記粒子分布図を表示するステップと、
を備える粒子分布図表示方法。
【請求項１５】
表示装置を備えるコンピュータに、
粒子を含む試料を測定することによって得られた粒子に関する特徴パラメータ情報を取得するステップと、
取得された特徴パラメータ情報に基づいて、前記試料中の粒子の前記特徴パラメータ情報に関する分布状態を示す粒子分布図を生成するステップと、
生成された粒子分布図における前記分布状態を説明する説明情報を付加して、前記粒子分布図を前記表示装置に表示させるステップと、
を実行させる、コンピュータプログラム。
【発明の詳細な説明】
【技術分野】
【０００１】
本発明は、粒子を含む試料を分析することにより粒子分布図を生成し、粒子分布図を表示する試料分析装置及び粒子分布図表示方法、並びに、コンピュータに粒子分布図を表示させるコンピュータプログラムに関する。
【背景技術】
【０００２】
従来より、血液、尿、工業粉体等の粒子を含む試料を分析し、スキャッタグラム、ヒストグラム等の粒子分布図を作成し、その粒子分布図を表示する試料分析方法及び試料分析装置が知られている（例えば、特許文献１）。
【０００３】
特許文献１には、末梢全血試料に含まれる粒子を赤血球、血小板、網赤血球、未成熟網赤血球、及び白血球に分類し、それぞれの種類の粒子を色分けしたスキャッタグラムを表示する方法が開示されている。
【特許文献１】特開平６−２７０１７号公報
【発明の開示】
【発明が解決しようとする課題】
【０００４】
しかしながら、かかる試料分析装置にあっては、その装置の操作に習熟した者でなければ、その装置によって表示された分析結果画面の内容を理解することは容易ではない。例えば、上記特許文献１に記載された方法により粒子の種類毎に色分けされたスキャッタグラムが表示されても、どの色がどの種類の粒子を示しているのかを知らなければその分析結果の内容を把握することはできない。このため、その装置に不馴れなユーザは、その装置の取扱説明書を参照する等して分析結果画面に表示される粒子分布図の表示方法について調べなければならないという不都合があった。
【０００５】
本発明は斯かる事情に鑑みてなされたものであり、その主たる目的は、装置の操作に不馴れなユーザにとっても、試料の分析の結果得られた粒子分布図の内容を容易に把握することができる試料分析装置、粒子分布図表示方法、及びコンピュータプログラムを提供することにある。
【課題を解決するための手段】
【０００６】
上述した課題を解決するために、本発明の一の態様の試料分析装置は、粒子を含む試料を測定し、粒子に関する特徴パラメータ情報を取得する測定部と、前記測定部により取得された特徴パラメータ情報に基づいて、前記試料中の粒子の前記特徴パラメータ情報に関する分布状態を示す粒子分布図を生成する粒子分布図生成手段と、表示部と、前記粒子分布図生成手段によって生成された粒子分布図における前記分布状態を説明する説明情報を付加して、前記粒子分布図を前記表示部に表示させる表示制御手段と、を備える。
【０００７】
この態様において、前記試料分析装置は、前記測定部により取得された特徴パラメータ情報に基づいて、前記粒子分布図における前記分布状態に応じて変化する前記説明情報を生成する説明情報生成手段をさらに備え、前記表示制御手段は、前記説明情報生成手段によって生成された前記説明情報を付加して、前記粒子分布図を前記表示部に表示させるように構成されていることが好ましい。
【０００８】
また、上記態様においては、前記表示制御手段が、前記粒子分布図を前記表示部に表示させる第１表示制御手段を備え、前記試料分析装置が、前記表示部に表示された前記粒子分布図の指定を受け付ける入力部と、前記表示部に表示された前記粒子分布図が指定されたか否かを判定する判定手段と、をさらに備え、前記表示制御手段が、前記粒子分布図が指定されたと前記判定手段により判定された場合に、前記説明情報を、前記粒子分布図が表示された前記表示部に表示させる第２表示制御手段をさらに備えることが好ましい。
【０００９】
また、上記態様においては、前記試料分析装置が、前記表示部に表示された前記粒子分布図が指定された状態において、前記粒子分布図の指定が解除されたか否かを判定する指定解除判定手段をさらに備え、前記第２表示制御手段が、前記説明情報が前記表示部に表示されている場合において、前記指定解除判定手段により前記指定が解除されたと判定されたときに、前記説明情報の表示を終了するように構成されていることが好ましい。
【００１０】
また、上記態様においては、前記表示制御手段が、前記粒子分布図の上に前記説明情報を重ねて前記表示部に表示させるように構成されていることが好ましい。
【００１１】
また、上記態様においては、前記表示制御手段が、前記表示部に設けられた表示領域の一部に前記粒子分布図を表示させ、且つ、前記表示領域における前記粒子分布図が表示されている部分の外側に、前記説明情報を表示させるように構成されていることが好ましい。
【００１２】
また、上記態様においては、前記試料分析装置が、前記測定部により取得された前記特徴パラメータ情報に基づいて、前記試料に含まれる粒子を複数種類に分類する分類手段をさらに備え、前記表示制御手段が、前記分類手段による分類結果を示す情報を含む前記説明情報を、前記粒子分布図に付加して前記表示部に表示させるように構成されていることが好ましい。
【００１３】
また、上記態様においては、前記試料分析装置が、前記粒子分布図において複数の種類の粒子がそれぞれ出現する位置に基づいて、粒子の種類を示す種類情報の表示に関する前記粒子分布図上の位置を前記粒子の種類毎に決定する位置決定手段をさらに備え、前記表示制御手段が、前記分類結果を示す情報として、前記複数の種類情報を前記位置決定手段によって決定された位置に関連づけて表示させるように構成されていることが好ましい。
【００１４】
また、上記態様においては、前記試料分析装置が、前記分類手段によって分類された粒子の数を種類毎に計数する計数手段をさらに備え、前記表示制御手段が、粒子の種類に関連づけて、粒子数を含む前記説明情報を前記表示部に表示させるように構成されていることが好ましい。
【００１５】
また、上記態様においては、前記試料分析装置が、前記計数手段による計数結果が異常か否かを粒子の種類毎に判定する計数異常判定手段をさらに備え、前記表示制御手段が、前記計数異常判定手段により計数結果が異常と判定された粒子の種類が存在する場合に、異常と判定された粒子の種類に関連づけて、計数結果の異常を示す計数異常情報を含む前記説明情報を前記表示部に表示させるように構成されていることが好ましい。
【００１６】
また、上記態様においては、前記試料分析装置が、前記分類手段による分類結果が異常か否かを判定する分類異常判定手段と、前記分類異常判定手段により分類結果が異常と判定された場合に、前記粒子分布図における当該分類結果の異常が発生した位置に基づいて、当該分類結果の異常を示す分類異常情報の表示に関連する前記粒子分布図上の位置を決定する異常表示位置決定手段と、をさらに備え、前記表示制御手段が、前記分類異常判定手段により分類結果が異常と判定された場合に、前記分類異常情報を含む前記説明情報を、前記異常表示位置決定手段によって決定された位置と関連づけて表示させるように構成されていることが好ましい。
【００１７】
また、上記態様においては、前記測定部が、前記試料を測定し、互いに異なる第１及び第２特徴パラメータ情報をそれぞれ取得するように構成されており、前記粒子分布図生成手段が、前記粒子分布図として、第１軸が前記第１特徴パラメータ情報を示し、第２軸が前記第２特徴パラメータ情報を示すスキャッタグラムを生成するように構成されていることが好ましい。
【００１８】
また、上記態様においては、前記粒子分布図生成手段が、前記粒子分布図として、前記特徴パラメータ情報に関するヒストグラムを生成するように構成されており、前記試料分析装置が、前記粒子分布図生成手段によって生成された前記ヒストグラムのピークを検出する検出手段をさらに備え、前記表示制御手段が、前記検出手段によって検出されたピークに関する情報を含む前記説明情報を付加して、前記ヒストグラムを前記表示部に表示させるように構成されていることが好ましい。
【００１９】
本発明の一の態様の粒子分布図表示方法は、粒子を含む試料を測定し、粒子に関する特徴パラメータ情報を取得するステップと、取得された特徴パラメータ情報に基づいて、前記試料中の粒子の前記特徴パラメータ情報に関する分布状態を示す粒子分布図を生成するステップと、生成された粒子分布図における前記分布状態を説明する説明情報を付加して、前記粒子分布図を表示するステップと、を備える。
【００２０】
本発明の一の態様のコンピュータプログラムは、表示装置を備えるコンピュータに、粒子を含む試料を測定することによって得られた粒子に関する特徴パラメータ情報を取得するステップと、取得された特徴パラメータ情報に基づいて、前記試料中の粒子の前記特徴パラメータ情報に関する分布状態を示す粒子分布図を生成するステップと、生成された粒子分布図における前記分布状態を説明する説明情報を付加して、前記粒子分布図を前記表示装置に表示させるステップと、を実行させるコンピュータプログラムである。
【発明の効果】
【００２１】
本発明に係る試料分析装置、粒子分布図表示方法、及びコンピュータプログラムによれば、装置の操作に不馴れなユーザにとっても、試料の分析の結果得られた粒子分布図の内容を容易に把握することが可能となる。
【発明を実施するための最良の形態】
【００２２】
以下、本発明の好ましい実施の形態を、図面を参照しながら説明する。
【００２３】
（実施の形態１）
本実施の形態は、尿中の有形成分を分析してスキャッタグラム及びヒストグラムを作成し、そのスキャッタグラム及びヒストグラムにおける粒子の分布状態を説明する説明情報を付加して、前記スキャッタグラム及びヒストグラムを表示する試料分析装置である。
【００２４】
［試料分析装置の構成］
図１は、本実施の形態に係る試料分析装置の構成の概要を示す斜視図である。図１に示すように、試料分析装置１は、試料を測定する測定ユニット２と、測定ユニット２から出力された測定データを処理し、試料の分析結果を表示する情報処理ユニット３とを備えている。測定ユニット２の前側には搬送部２１０が設けられており、この搬送部２１０によって、試料（尿）が収容された試験管２１１を複数保持するラック２１２が搬送されるようになっている。
【００２５】
＜測定ユニット２の構成＞
図２は、測定ユニットの構成を示すブロック図である。測定ユニット２には、図２に示すように、試料分配部２１と、試料調製部２２と、光学検出部２３と、光学検出部２３による出力の増幅及びフィルタ処理等を行うアナログ信号処理回路２４と、アナログ信号処理回路２４の出力をデジタル信号に変換するＡ／Ｄコンバータ２５と、デジタル信号に対して所定の波形処理を行うデジタル信号処理回路２６と、デジタル信号処理回路２６に接続されたメモリ２７と、アナログ信号処理回路２４及びデジタル信号処理回路２６に接続されたＣＰＵ２８と、ＣＰＵ２８に接続されたＬＡＮアダプタ２９と、搬送部２１０とが設けられている。情報処理ユニット３は、ＬＡＮアダプタ２９を介して測定ユニット２にＬＡＮ接続されている。また、アナログ信号処理回路２４、Ａ／Ｄコンバータ２５、デジタル信号処理回路２６及びメモリ２７は、光学検出部２３が出力する電気信号に対する信号処理回路３０を構成している。
【００２６】
試料分配部２１は、試料である尿を所定の分配量で試料調製部２２に分注するように構成されている。また、試料調製部２２は、試料分配部２１により分注された尿及び試薬により測定試料を調製し、調製された測定試料をシース液とともに後述する光学検出部２３のシースフローセル２３ｃに供給するように構成されている。
【００２７】
図３は、光学検出部２３の構成を示す模式図である。光学検出部２３は、図３に示すように、レーザ光を出射する発光部２３ａと、照射レンズユニット２３ｂと、レーザ光が照射されるシースフローセル２３ｃと、発光部２３ａから出射されるレーザ光が進む方向の延長線上に配置されている集光レンズ２３ｄ、ピンホール２３ｅ及びＰＤ（フォトダイオード）２３ｆと、発光部２３ａから出射されるレーザ光が進む方向と交差する方向に配置されている集光レンズ２３ｇ、ダイクロイックミラー２３ｈ、光学フィルタ２３ｉ、ピンホール２３ｊ及びＰＤ２３ｋと、ダイクロイックミラー２３ｈの側方に配置されているＡＰＤ（アバランシェフォトダイオード）２３ｌとを含んでいる。
【００２８】
発光部２３ａは、シースフローセル２３ｃの内部を通過する測定試料を含む試料流に対して光を出射するために設けられている。また、照射レンズユニット２３ｂは、発光部２３ａから出射された光を平行光にするために設けられている。また、ＰＤ２３ｆは、シースフローセル２３ｃから出射された前方散乱光を受光するために設けられている。
【００２９】
ダイクロイックミラー２３ｈは、シースフローセル２３ｃから出射された側方散乱光及び側方蛍光を分離するために設けられている。具体的には、ダイクロイックミラー２３ｈは、シースフローセル２３ｃから出射された側方散乱光をＰＤ２３ｋに入射させるとともに、シースフローセル２３ｃから出射された側方蛍光をＡＰＤ２３ｌに入射させるために設けられている。また、ＰＤ２３ｋは、側方散乱光を受光するために設けられている。また、ＡＰＤ２３ｌは、側方蛍光を受光するために設けられている。また、ＰＤ２３ｆ、２３ｋ及びＡＰＤ２３ｌは、それぞれ、受光した光信号を電気信号に変換する機能を有する。
【００３０】
アナログ信号処理回路２４は、図３に示すように、アンプ２４ａ、２４ｂ及び２４ｃを備えている。また、アンプ２４ａ、２４ｂ及び２４ｃは、それぞれ、ＰＤ２３ｆ及び２３ｋ並びにＡＰＤ２３ｌから出力された電気信号を増幅及び波形処理するために設けられている。
【００３１】
＜情報処理ユニット３の構成＞
図４は、情報処理ユニット３の構成を示すブロック図である。情報処理ユニット３は、コンピュータ３ａによって実現される。図４に示すように、コンピュータ３ａは、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、画像出力インタフェース３１ｉ、画像表示部３２、及び入力部３３を備えており、ＣＰＵ３１ａ、ＲＯＭ３１ｂ、ＲＡＭ３１ｃ、ハードディスク３１ｄ、読出装置３１ｅ、入出力インタフェース３１ｆ、通信インタフェース３１ｇ、及び画像出力インタフェース３１ｉは、バス３１ｊによって接続されている。
【００３２】
ＣＰＵ３１ａは、ＲＡＭ３１ｃにロードされたコンピュータプログラムを実行することが可能である。そして、後述するような分析プログラム３４ａを当該ＣＰＵ３１ａが実行することにより、コンピュータ３ａが情報処理ユニット３として機能する。
【００３３】
ＲＯＭ３１ｂは、マスクＲＯＭ、ＰＲＯＭ、ＥＰＲＯＭ、又はＥＥＰＲＯＭ等によって構成されており、ＣＰＵ３１ａに実行されるコンピュータプログラム及びこれに用いるデータ等が記録されている。
【００３４】
ＲＡＭ３１ｃは、ＳＲＡＭまたはＤＲＡＭ等によって構成されている。ＲＡＭ３１ｃは、ハードディスク３１ｄに記録されている分析プログラム３４ａの読み出しに用いられる。また、ＣＰＵ３１ａがコンピュータプログラムを実行するときに、ＣＰＵ３１ａの作業領域として利用される。
【００３５】
ハードディスク３１ｄは、オペレーティングシステム及びアプリケーションプログラム等、ＣＰＵ３１ａに実行させるための種々のコンピュータプログラム及び当該コンピュータプログラムの実行に用いられるデータがインストールされている。後述する分析プログラム３４ａも、このハードディスク３１ｄにインストールされている。
【００３６】
読出装置３１ｅは、フレキシブルディスクドライブ、ＣＤ−ＲＯＭドライブ、またはＤＶＤ−ＲＯＭドライブ等によって構成されており、可搬型記録媒体３４に記録されたコンピュータプログラムまたはデータを読み出すことができる。また、可搬型記録媒体３４には、コンピュータを情報処理ユニット３として機能させるための分析プログラム３４ａが格納されており、コンピュータ３ａが当該可搬型記録媒体３４から分析プログラム３４ａを読み出し、当該分析プログラム３４ａをハードディスク３１ｄにインストールすることが可能である。
【００３７】
なお、前記分析プログラム３４ａは、可搬型記録媒体３４によって提供されるのみならず、電気通信回線（有線、無線を問わない）によってコンピュータ３ａと通信可能に接続された外部の機器から前記電気通信回線を通じて提供することも可能である。例えば、前記分析プログラム３４ａがインターネット上のサーバコンピュータのハードディスク内に格納されており、このサーバコンピュータにコンピュータ３ａがアクセスして、当該コンピュータプログラムをダウンロードし、これをハードディスク３１ｄにインストールすることも可能である。
【００３８】
また、ハードディスク３１ｄには、例えば米マイクロソフト社が製造販売するWindows（登録商標）等のマルチタスクオペレーティングシステムがインストールされている。以下の説明においては、本実施の形態に係る分析プログラム３４ａは当該オペレーティングシステム上で動作するものとしている。
【００３９】
入出力インタフェース３１ｆは、例えばUSB，IEEE1394，又はRS-232C等のシリアルインタフェース、SCSI，IDE，又はIEEE1284等のパラレルインタフェース、及びＤ／Ａ変換器、Ａ／Ｄ変換器等からなるアナログインタフェース等から構成されている。入出力インタフェース３１ｆには、キーボード及びマウスからなる入力部３３が接続されており、ユーザが当該入力部３３を使用することにより、コンピュータ３ａにデータを入力することが可能である。
【００４０】
通信インタフェース３１ｇは、Ethernet（登録商標）インタフェースである。通信インタフェース３１ｇはＬＡＮを介して測定ユニット２に接続されている。コンピュータ３ａは、通信インタフェース３１ｇにより、所定の通信プロトコルを使用して当該ＬＡＮに接続された測定ユニット２との間でデータの送受信が可能である。
【００４１】
画像出力インタフェース３１iは、ＬＣＤまたはＣＲＴ等で構成された画像表示部３２に接続されており、ＣＰＵ３１ａから与えられた画像データに応じた映像信号を画像表示部３２に出力するようになっている。画像表示部３２は、入力された映像信号にしたがって、画像（画面）を表示する。
【００４２】
［試料分析装置の動作］
以下、本実施の形態に係る試料分析装置１の動作について説明する。
【００４３】
図５Ａ〜図５Ｃは、本実施の形態に係る試料分析装置１の動作の流れを示すフローチャートである。図５Ａは、情報処理ユニット３による測定開始指示動作の流れを示すフローチャートであり、図５Ｂは、試料分析装置１の試料の分析動作における測定ユニット２による試料の測定動作の流れを示すフローチャートであり、図５Ｃは、試料分析装置１の試料の分析動作における情報処理ユニット３による測定データ解析動作の流れを示すフローチャートである。
【００４４】
まず、ユーザが試料分析装置１を起動すると、測定ユニット２及び情報処理ユニット３のそれぞれにおいて初期化処理が実行され、測定ユニット２は測定スタンバイ状態となり、情報処理ユニット３はメイン画面（図示せず）を表示する。また、情報処理ユニット３には、検体（試料）番号、当該検体番号と関連付けられた患者の氏名、年齢、性別、診療科等の患者情報、及び分析項目等の測定オーダが、ネットワークを介して接続されたホストコンピュータ（図示せず）又はユーザの手入力により予め入力され、これらの測定オーダがハードディスク３１ｄに記憶される。この状態で、メイン画面に表示されているスタートボタンがクリックされる等、ユーザによるスタート指示の操作が行われると、ＣＰＵ３１ａが測定開始の指示を受け付け（図５ＡのステップＳ１０１）、これによりＣＰＵ３１ａに対する割り込み要求が発生し、ステップＳ１０２の処理が呼び出される。
【００４５】
ステップＳ１０２においては、ＣＰＵ３１ａにより測定開始指示信号が生成され、当該信号が測定ユニット２へと送信される（図５ＡのステップＳ１０２）。その後、ＣＰＵ３１ａは、この測定開始指示動作に関する処理を終了する。かかる測定開始指示が与えられることにより、図５Ｂに示す測定ユニット２の測定動作が開始される。測定開始指示信号が測定ユニット２に受信されると（図５ＢのステップＳ１３１）、測定ユニット２のＣＰＵ２８に対する割り込み要求が発生し、これによりＣＰＵ２８が搬送部２１０を制御し、試料入りの試験管２１１が立てられたサンプルラック２１２を所定の吸引位置へ移送する（ステップＳ１３２）。この吸引位置において、前記試験管２１１が回転させられ、当該試験管２１１の外周面に貼付されたＩＤラベルのバーコードが図示しないバーコードリーダにより読み取られ、これによって検体番号がＣＰＵ２８により取得される（ステップＳ１３３）。ＣＰＵ２８は、取得した検体番号を情報処理ユニット３へ送信する（ステップＳ１３４）。
【００４６】
上記の検体番号の通知により、図５Ｃに示す情報処理ユニット３の動作が開始される。検体番号が情報処理ユニット３により受信されると（図５ＣのステップＳ１１１）、ＣＰＵ３１ａに対する割り込み要求が発生し、ＣＰＵ３１ａは当該検体番号に対応する測定オーダをハードディスク３１ｄから検索する（ステップＳ１１２）。次に、ＣＰＵ３１ａは、検索された測定オーダに含まれる分析項目情報を測定ユニット２へ送信する（ステップＳ１１３）。
【００４７】
分析項目情報が測定ユニット２に受信されると（図５ＢのステップＳ１３５）、測定ユニット２のＣＰＵ２８に対する割り込み要求が発生し、これによりＣＰＵ２８が測定試料の調製処理を実行する（ステップＳ１３６）。この測定試料の調製処理では、ＣＰＵ２８が試料分配部２１及び試料調製部２２を制御し、尿及び試薬により測定試料が調製される。調製される測定試料は、測定項目に応じて決定される。全測定項目を測定する場合には、尿沈渣成分（赤血球、白血球、上皮細胞、円柱等）測定用の第１測定試料と、細菌測定用の第２測定試料の２種類の測定試料のそれぞれが調製される。
【００４８】
また、ＣＰＵ２８は、測定処理を実行する（ステップＳ１３７）。この測定処理では、ＣＰＵ２８が光学検出部２３を制御し、測定試料の光学測定が実行される。この測定処理では、情報処理ユニット３から受信した測定項目に対応する測定が行われ、全測定項目の場合には、第１測定試料の測定処理である第１測定処理と、第２測定試料の測定処理である第２測定処理とが実行される。具体的には、測定処理においては、光学検出部２３のシースフローセル２３ｃにシース液が送液され、その後、まず尿中有形成分（ＳＥＤ）測定用の第１測定試料が光学検出部２３に導かれ、前記シースフローセル２３ｃにおいてシース液に包まれた細い流れ（シースフロー）が形成される。そして、このようにして形成されたシースフローに発光部２３ａからレーザビームが照射される。前記レーザビームの照射により生じる尿中有形成分の前方散乱光、蛍光及び側方散乱光は、それぞれフォトダイオード２３ｆ、２３ｋ、及びＡＰＤ２３ｌにより受光されて電気信号に変換され、前方散乱光信号（ＦＳＣ）、蛍光信号（ＦＬ）及び側方散乱光信号（ＳＳＣ）として出力される。これらの出力は、プリアンプにより増幅される。このようにして第１測定処理が先に行われる。一方、第１測定処理が終了すると、引き続いて第２測定試料を用いて尿中の細菌が測定される（第２測定処理）。この場合、尿中有形成分の測定で用いた光学検出部２３により、前記第１測定処理の場合と同様に前方散乱光信号（ＦＳＣ）及び蛍光信号（ＦＬ）が出力され、且つ増幅される。増幅された前記前方散乱光信号（ＦＳＣ）、蛍光信号（ＦＬ）及び側方散乱光信号（ＳＳＣ）は、デジタル信号処理回路２６においてデジタル信号に変換された後、所定の波形処理が施され、これにより、第１測定試料の前方散乱光データ、側方散乱光データ、及び側方蛍光データ、並びに第２測定試料の前方散乱光データ、側方散乱光データ、及び側方蛍光データからなる測定データが得られる。次いで、ＣＰＵ２８は、得られた測定データを情報処理ユニット３へ送信する（ステップＳ１３８）。
【００４９】
また、ＣＰＵ２８は、未測定の試料が収容された試験管が残っていないかどうかを判定する（ステップＳ１３９）。この処理では、搬送部２１０に設けられたセンサにより、吸引位置に配置されているサンプルラックに未測定の試料の試験管が存在するか否か、また、サンプルラック中の試験管全てに対して測定が完了しており、サンプルラックが吸引位置から移送された場合には、未測定の試料が収容された試験管を保持するサンプルラックが存在するか否かが判定される。そして、未測定の試料が収容された試験管が存在する場合には（ステップＳ１３９においてＮＯ）、処理をステップＳ１３２へ戻し、未測定の試料が収容された試験管を吸引位置へ移送し、ステップＳ１３３以下の処理を再度繰り返す。一方、ステップＳ１３９において、未測定の試料が収容された試験管が残っていない場合には（ステップＳ１３９においてＹＥＳ）、ＣＰＵ２８は処理を終了する。
【００５０】
測定データが情報処理ユニット３により受信されると（図５ＣのステップＳ１１４）、ＣＰＵ３１ａに対する割り込み要求が発生し、ＣＰＵ３１ａは測定データの処理を実行する（ステップＳ１１５）。図６は、情報処理ユニット３による測定データの処理の手順を示すフローチャートである。この測定データの処理では、以下のようにして、試料中に存在する粒子の分布状態を示すスキャッタグラム及びヒストグラムが作成される。
【００５１】
情報処理ユニット３による測定データ処理では、まず、ＣＰＵ３１ａが、受信した測定データをハードディスク３１ｄに記憶する（ステップＳ１２１）。次に、ＣＰＵ３１ａは、測定データを用いて試料中の粒子の分類処理を実行する（ステップＳ１２２）。この処理は、測定データに含まれる前方散乱光データ、側方散乱光データ、及び側方蛍光データの各特徴パラメータ情報によって、試料に含まれる粒子の種類を特定するというものである。
【００５２】
上記の分類処理を具体的に説明する。尿中有形成分（ＳＥＤ）の分類は、第１測定試料の前方散乱光データ、側方散乱光データ及び蛍光データの各特徴パラメータ情報に基づいて行われる。図７Ａは、横軸を第１測定試料を測定したときに得られた蛍光強度（低感度）（ＦＬＬ）とし、縦軸をその前方散乱光強度（ＦＳＣ）とした場合のスキャッタグラムである。このスキャッタグラムにより、蛍光信号強度の大きな領域には、核を有する大きな細胞である上皮細胞（ＥＣ）と白血球（ＷＢＣ）が現れることがわかる。大半の上皮細胞は白血球より細胞が大きく、白血球より蛍光強度の大きな領域に出現するが、小型上皮細胞には白血球と出現領域がオーバラップするものもある。この両者を識別するために側方散乱光データが用いられる。図７Ｂは、横軸を第１測定試料を測定したときに得られた側方散乱光強度（ＳＳＣ）、縦軸をその前方散乱光強度（ＦＳＣ）としたときのスキャッタグラムである。このスキャッタグラムから分かるように、上皮細胞は白血球より側方散乱光強度が大きい領域に出現する。このため、側方散乱光強度により上皮細胞の識別が行われる。
【００５３】
図７Ｃは、横軸を第１測定試料を測定したときに得られた蛍光強度（高感度）（ＦＬＨ）とし、縦軸をその前方散乱光強度（ＦＳＣ）としたときのスキャッタグラムであり、蛍光強度が低い領域を表したものである。赤血球（ＲＢＣ）は核を有していないので蛍光強度の低い領域に分布する。結晶によっては赤血球の出現領域に現れることもあるので、結晶の出現を確認するため側方散乱光データが用いられる。図７Ｂに示すように、結晶は側方散乱光強度の分布中心が一定せず、大きい領域にも出現するため、図７Ｃのスキャッタグラムより赤血球との識別が行われる。
【００５４】
図７Ｄは、横軸を第１測定試料を測定したときに得られた蛍光信号の幅（蛍光幅、ＦＬＬＷ）とし、縦軸をその第２の蛍光幅（蛍光幅２、ＦＬＬＷ２）としたときのスキャッタグラムである。ＦＬＬＷは、細胞膜が染色された有形成分を捉える蛍光信号の幅を表しており、ＦＬＬＷ２は、核などのより強い蛍光信号の幅を表している。図に示すように、円柱（ＣＡＳＴ）のＦＬＬＷは大きく、内容物がある円柱（Ｐ．ＣＡＳＴ）はＦＬＬＷ２が大きい。また、内容物のない円柱（ＣＡＳＴ）はＦＬＬＷ２が低い領域に出現する。このように、内容物のある円柱及び内容物のない円柱は、蛍光幅及び蛍光幅２を用いて識別される。
【００５５】
一方、細菌の分類（識別）は、第２測定試料の前方散乱光データ及び蛍光データの各特徴パラメータ情報に基づいて行われる。  図７Ｅは、横軸を第２測定試料を測定したときに得られた蛍光強度（高感度）（Ｂ−ＦＬＨ）とし、縦軸をその前方散乱光強度（高感度）（Ｂ−ＦＳＣ）としたときのスキャッタグラムである。尿中有形成分測定では、図７Ｃのスキャッタグラムのように、細菌の出現領域は粘液糸（ＭＵＣＵＳ）、ＹＬＣ（酵母様真菌）、ＳＰＥＲＭ（精子）の出現領域とオーバラップする。しかし、細菌測定では、第２測定試料の調製に用いられる細菌測定試薬によって、粘液糸や赤血球破片などの夾雑物を収縮させるため、細菌だけが独立して出現する領域が現れ、尿中有形成分測定の場合に比べて約１０倍感度を上げて測定しているため、小型細菌も高精度に検出でき、かかる第２測定試料の前方散乱光データ及び蛍光データを使用することによって正確な細菌の識別が可能である。
【００５６】
上記のような処理が行われることにより、試料を測定することにより検出された粒子が、赤血球（ＲＢＣ）、白血球（ＷＢＣ）、上皮細胞（ＥＣ）、円柱（ＣＡＳＴ：内容物なし、Ｐ．ＣＡＳＴ：内容物あり）、細菌（ＢＡＣＴ）、結晶（Ｘ’ＴＡＬ）、粘液糸（ＭＵＣＵＳ）、酵母様真菌（ＹＬＣ）、精子（ＳＰＥＲＭ）、夾雑物（ＤＥＢＲＩＳ）等に分類される。また、上記の分類処理により、後述するスキャッタグラムの表示用のデータが生成される。
【００５７】
上述した分類処理の後、ＣＰＵ３１ａは、粒子数を計数する計数処理を実行する（ステップＳ１２３）。この処理では、上記の分類処理によって分類した粒子の種類毎に粒子数が計数される。次にＣＰＵ３１ａは、計数処理による計数結果をハードディスク３１ｄに記憶する（ステップＳ１２４）。
【００５８】
次に、ＣＰＵ３１ａは、分類異常の判定処理を実行する（ステップＳ１２５）。以下に、分類異常の判定処理を詳しく説明する。図８は、分類異常の判定処理の手順を示すフローチャートである。まず、ＣＰＵ３１ａは、ステップＳ１２４において記憶した計数結果をハードディスク３１ｄから読み出す（ステップＳ１２５ａ）。次に、ＣＰＵ３１ａは、夾雑物異常高値の判定を実行する（ステップＳ１２５ｂ）。この夾雑物異常高値判定処理は、夾雑物（ＤＥＢＲＩＳ）の数が所定値以上か否かが判定されることにより行われる。夾雑物の異常高値が認められた場合には（ステップＳ１２５ｂにおいて「異常」）、ＣＰＵ３１ａは、夾雑物異常高値の有無を示す変数であるＤＥＢＲＩＳ高値フラグを「ＯＮ」にセットし（ステップＳ１２５ｃ）、処理をステップＳ１２５ｄへと進める。なお、ＤＥＢＲＩＳ高値フラグの初期値は「ＯＦＦ」である。また、ステップＳ１２５ｂにおいて夾雑物の異常高値が認められなかった場合には（ステップＳ１２５ｂにおいて「正常」）、ＣＰＵ３１ａは処理をステップＳ１２５ｄへと進める。
【００５９】
ステップＳ１２５ｄにおいて、ＣＰＵ３１ａは、赤血球及び結晶の分類異常判定を実行する。この赤血球・結晶分類異常判定処理は、側方散乱光強度が所定範囲の結晶の数が所定値以上か否かを判定し、及び、赤血球数が所定値以上か否かを判定することにより行われ、側方散乱光強度が所定範囲の結晶の数が所定値以上であり、且つ、赤血球数が所定値以上である場合に、赤血球・結晶分類異常が発生したと判定される。つまり、図７Ｂのスキャッタグラムにおいて、側方散乱高強度の高いエリア（図示せず）の結晶数が所定値より多く、しかも、図７Ａのスキャッタグラムにおいて、赤血球の数が所定値より多い場合に、当該異常が発生したものと判定される。赤血球・結晶分類異常が認められた場合には（ステップＳ１２５ｄにおいて「異常」）、ＣＰＵ３１ａは、赤血球・結晶分類異常の有無を示す変数であるＲＢＣ／Ｘ’ＴＡＬ分類異常フラグを「ＯＮ」にセットし（ステップＳ１２５ｅ）、処理をステップＳ１２５ｆへと進める。なお、ＲＢＣ／Ｘ’ＴＡＬ分類異常フラグの初期値は「ＯＦＦ」である。また、ステップＳ１２５ｄにおいて赤血球・結晶分類異常が認められなかった場合には（ステップＳ１２５ｄにおいて「正常」）、ＣＰＵ３１ａは処理をステップＳ１２５ｆへと進める。
【００６０】
ステップＳ１２５ｆにおいて、ＣＰＵ３１ａは、赤血球及び細菌の分類異常判定を実行する。この赤血球・細菌分類異常判定処理は、細菌の数が所定値以上か否かを判定することにより行われ、細菌数が所定値以上である場合に、赤血球・細菌分類異常が発生したと判定される。つまり、図７Ｅのスキャッタグラムに出現する細菌数が所定値より多い場合に、当該異常が発生したものと判定される。赤血球・細菌分類異常が認められた場合には（ステップＳ１２５ｆにおいて「異常」）、ＣＰＵ３１ａは、赤血球・細菌分類異常の有無を示す変数であるＲＢＣ／ＢＡＣＴ分類異常フラグを「ＯＮ」にセットし（ステップＳ１２５ｇ）、処理をステップＳ１２５ｈへと進める。なお、ＲＢＣ／ＢＡＣＴ分類異常フラグの初期値は「ＯＦＦ」である。また、ステップＳ１２５ｆにおいて赤血球・結晶分類異常が認められなかった場合には（ステップＳ１２５ｆにおいて「正常」）、ＣＰＵ３１ａは処理をステップＳ１２５ｈへと進める。
【００６１】
ステップＳ１２５ｈにおいて、ＣＰＵ３１ａは、赤血球及び酵母様真菌の分類異常判定を実行する。この赤血球・酵母様真菌分類異常判定処理は、酵母様真菌の数が所定値以上か否かを判定することにより行われ、酵母様真菌数が所定値以上である場合に、赤血球・酵母様真菌分類異常が発生したと判定される。つまり、図７Ａのスキャッタグラムに出現する酵母様真菌数が所定値より多い場合に、当該異常が発生したものと判定される。赤血球・酵母様真菌分類異常が認められた場合には（ステップＳ１２５ｈにおいて「異常」）、ＣＰＵ３１ａは、赤血球・酵母様真菌分類異常の有無を示す変数であるＲＢＣ／ＹＬＣ分類異常フラグを「ＯＮ」にセットし（ステップＳ１２５ｉ）、測定データ処理Ｓ１１４における分類異常の判定処理Ｓ１２５の呼出アドレスへ処理をリターンする。なお、ＲＢＣ／ＹＬＣ分類異常フラグの初期値は「ＯＦＦ」である。また、ステップＳ１２５ｈにおいて赤血球・酵母様真菌分類異常が認められなかった場合には（ステップＳ１２５ｈにおいて「正常」）、ＣＰＵ３１ａは、測定データ処理Ｓ１１４における前記呼出アドレスへ処理をリターンする。
【００６２】
次に、ＣＰＵ３１ａは、粒子数異常の判定処理を実行する（ステップＳ１２６）。以下に、粒子数異常の判定処理を詳しく説明する。図９は、粒子数異常の判定処理の手順を示すフローチャートである。まず、ＣＰＵ３１ａは、赤血球数異常の判定を実行する（ステップＳ１２６ａ）。この赤血球数異常判定処理は、赤血球数が所定の正常範囲内に入っているか否かが判定されることにより行われる。赤血球数異常が認められた場合には（ステップＳ１２６ａにおいて「異常」）、ＣＰＵ３１ａは、赤血球数異常の有無を示す変数である赤血球数異常フラグを「ＯＮ」にセットし（ステップＳ１２６ｂ）、処理をステップＳ１２６ｃへと進める。なお、赤血球数異常フラグの初期値は「ＯＦＦ」である。また、ステップＳ１２６ａにおいて赤血球数異常が認められなかった場合には（ステップＳ１２６ａにおいて「正常」）、ＣＰＵ３１ａは処理をステップＳ１２６ｃへと進める。
【００６３】
ステップＳ１２６ｃにおいて、ＣＰＵ３１ａは、白血球数異常の判定を実行する。この白血球数異常判定処理は、白血球数が所定の正常範囲内に入っているか否かが判定されることにより行われる。白血球数異常が認められた場合には（ステップＳ１２６ｃにおいて「異常」）、ＣＰＵ３１ａは、白血球数異常の有無を示す変数である白血球数異常フラグを「ＯＮ」にセットし（ステップＳ１２６ｄ）、処理をステップＳ１２６ｅへと進める。なお、白血球数異常フラグの初期値は「ＯＦＦ」である。また、ステップＳ１２６ｃにおいて白血球異常が認められなかった場合には（ステップＳ１２６ｃにおいて「正常」）、ＣＰＵ３１ａは処理をステップＳ１２６ｅへと進める。
【００６４】
ステップＳ１２６ｅにおいて、ＣＰＵ３１ａは、上皮細胞数異常の判定を実行する。この上皮細胞数異常判定処理は、上皮細胞数が所定の正常範囲内に入っているか否かが判定されることにより行われる。上皮細胞数異常が認められた場合には（ステップＳ１２６ｅにおいて「異常」）、ＣＰＵ３１ａは、上皮細胞数異常の有無を示す変数である上皮細胞数異常フラグを「ＯＮ」にセットし（ステップＳ１２６ｆ）、処理をステップＳ１２６ｇへと進める。なお、上皮細胞数異常フラグの初期値は「ＯＦＦ」である。また、ステップＳ１２６ｅにおいて上皮細胞異常が認められなかった場合には（ステップＳ１２６ｅにおいて「正常」）、ＣＰＵ３１ａは処理をステップＳ１２６ｇへと進める。
【００６５】
ステップＳ１２６ｇにおいて、ＣＰＵ３１ａは、円柱数異常の判定を実行する。この円柱数異常判定処理は、円柱数が所定の正常範囲内に入っているか否かが判定されることにより行われる。円柱数異常が認められた場合には（ステップＳ１２６ｇにおいて「異常」）、ＣＰＵ３１ａは、円柱数異常の有無を示す変数である円柱数異常フラグを「ＯＮ」にセットし（ステップＳ１２６ｈ）、処理をステップＳ１２６ｉへと進める。なお、円柱数異常フラグの初期値は「ＯＦＦ」である。また、ステップＳ１２６ｇにおいて円柱異常が認められなかった場合には（ステップＳ１２６ｇにおいて「正常」）、ＣＰＵ３１ａは処理をステップＳ１２６ｉへと進める。
【００６６】
ステップＳ１２６ｉにおいて、ＣＰＵ３１ａは、細菌数異常の判定を実行する。この細菌数異常判定処理は、細菌数が所定の正常範囲内に入っているか否かが判定されることにより行われる。細菌数異常が認められた場合には（ステップＳ１２６ｉにおいて「異常」）、ＣＰＵ３１ａは、細菌数異常の有無を示す変数である細菌数異常フラグを「ＯＮ」にセットし（ステップＳ１２６ｊ）、測定データ処理Ｓ１１４における粒子数異常の判定処理Ｓ１２６の呼出アドレスへ処理をリターンする。なお、細菌数異常フラグの初期値は「ＯＦＦ」である。また、ステップＳ１２６ｉにおいて細菌異常が認められなかった場合には（ステップＳ１２６ｉにおいて「正常」）、ＣＰＵ３１ａは、測定データ処理Ｓ１１４における粒子数異常の判定処理Ｓ１２６の呼出アドレスへ処理をリターンする。
【００６７】
次に、ＣＰＵ３１ａは、粒子分布図作成処理を実行する（ステップＳ１２７）。この処理では、測定データを用いて、スキャッタグラムの表示に用いられるデータ（以下、スキャッタグラムデータという。）及びヒストグラムの表示に用いられるデータ（以下、ヒストグラムデータという。）が作成される。当該処理で作成されるスキャッタグラムデータは、（１）横軸を第１測定試料を測定したときに得られた蛍光強度（低感度）（ＦＬＬ）とし、縦軸をその前方散乱光強度（ＦＳＣ）とするスキャッタグラム（図７Ａ参照）、（２）横軸を第１測定試料を測定したときに得られた蛍光強度（高感度）（ＦＬＨ）とし、縦軸をその前方散乱光強度（ＦＳＣ）とするスキャッタグラム（図７Ｃ参照）、（３）横軸を第１測定試料を測定したときに得られた蛍光信号の幅（蛍光幅、ＦＬＬＷ）とし、縦軸をその第２の蛍光幅（蛍光幅２、ＦＬＬＷ２）とするスキャッタグラム、（４）横軸を第２測定試料を測定したときに得られた蛍光強度（高感度）（Ｂ−ＦＬＨ）とし、縦軸をその前方散乱光強度（高感度）（Ｂ−ＦＳＣ）とするスキャッタグラムをそれぞれ描画するためのデータである。また、当該処理で作成されるヒストグラムデータは、（１）縦軸を出現頻度とし、横軸を前方散乱光強度とする赤血球のヒストグラム、（２）縦軸を出現頻度とし、横軸を前方散乱光強度とする白血球のヒストグラムをそれぞれ描画するためのデータである。これらのスキャッタグラムでは、各粒子がその種類に応じて色分け表示される（例えば、赤血球は赤、白血球は青等）ようになっている。従って、スキャッタグラムデータは、粒子毎の色の情報が含まれる。
【００６８】
次に、ＣＰＵ３１ａは、赤血球のヒストグラムが二峰であるか否か、即ち、赤血球のヒストグラムにピークが２つ存在するか否かを判定する赤血球ヒストグラム二峰判定処理を実行する（ステップＳ１２８）。この処理は、前述の赤血球のヒストグラムデータを用いてこのヒストグラムのピークを検出し、２つのピークが検出された場合に二峰と判定し、１つのピークが検出された場合に一峰と判定することにより行われる。
【００６９】
次に、ＣＰＵ３１ａは、同様に白血球のヒストグラムが二峰であるか否かを判定する白血球ヒストグラム二峰判定処理を実行する（ステップＳ１２９）。この処理は、前述の白血球のヒストグラムデータを用いてこのヒストグラムのピークを検出し、２つのピークが検出された場合に二峰と判定し、１つのピークが検出された場合に一峰と判定することにより行われる。
【００７０】
次に、ＣＰＵ３１ａは、上記のような分類結果、計数結果、分類異常の判定結果、粒子数異常の判定結果、スキャッタグラムデータ、ヒストグラムデータ、及び二峰の判定結果等を含む分析結果データを、ハードディスク３１ｄに格納する（ステップＳ１２１０）。そして、ＣＰＵ３１ａは、測定データ解析動作（メインルーチン）における測定データ処理Ｓ１１４の呼出アドレスへ処理をリターンする。
【００７１】
上記の測定データ処理Ｓ１１４が終了した後、ＣＰＵ３１ａは、分析結果データに基づいて、分析結果画面を表示する（ステップＳ１１６）。図１０は、分析結果画面の一例を示す模式図である。分析結果画面４には、検体属性情報表示部４１と、数値データ表示部４２と、コメント表示部４３と、粒子分布図表示部４４とが含まれている。検体属性情報表示部４１には、検体番号、試料分析日時、患者ＩＤ、患者氏名、診療科、主治医等の情報が表示される。数値データ表示部４２には、分析結果の数値データ、つまり、赤血球数、白血球数、上皮細胞数、円柱数、細菌数等の数値が表示される。コメント表示部４３には、上述した分類異常又は粒子数異常が検出された場合に、例えば、ＲＢＣ／Ｘ’ＴＡＬ分類異常フラグが「ＯＮ」である場合には、「ＲＢＣ／Ｘ’ＴＡＬ分画異常」というように、その異常の内容が文字により表示される。また、粒子分布図表示部４４には、（１）横軸を第１測定試料を測定したときに得られた蛍光強度（高感度）（ＦＬＨ）とし、縦軸をその前方散乱光強度（ＦＳＣ）としたときのスキャッタグラム（図７Ｃのスキャッタグラム。以下、「スキャッタグラムＳ１」という。）、（２）横軸を第１測定試料を測定したときに得られた蛍光強度（低感度）（ＦＬＬ）とし、縦軸をその前方散乱光強度（ＦＳＣ）とした場合のスキャッタグラム（図７Ａのスキャッタグラム。以下、「スキャッタグラムＳ２」という。）、（３）横軸を第１測定試料を測定したときに得られた蛍光信号の幅（蛍光幅、ＦＬＬＷ）とし、縦軸をその第２の蛍光幅（蛍光幅２、ＦＬＬＷ２）としたときのスキャッタグラム（図７Ｄのスキャッタグラム。以下、「スキャッタグラムＳ３」という。）、（４）横軸を第２測定試料を測定したときに得られた蛍光強度（高感度）（Ｂ−ＦＬＨ）とし、縦軸をその前方散乱光強度（高感度）（Ｂ−ＦＳＣ）としたときのスキャッタグラム（図７Ｅのスキャッタグラム。以下、「スキャッタグラムＳ３」という。）、（５）縦軸を出現頻度とし、横軸を前方散乱光強度とする赤血球のヒストグラム（以下、「ＲＢＣヒストグラム」という。）、及び、（６）縦軸を出現頻度とし、横軸を前方散乱光強度とする白血球のヒストグラム（以下、「ＷＢＣヒストグラム」という。）の６つの粒子分布図が表示される。
【００７２】
この状態で、分析結果画面に表示されている終了ボタンがクリックされる等、ユーザによる分析結果画面の表示終了指示の操作が行われると、ＣＰＵ３１ａが分析結果画面の表示終了の指示を受け付け（ステップＳ１１７）、これによりＣＰＵ３１ａに対する割り込み要求が発生し、ＣＰＵ３１ａが分析結果画面の表示を終了し（ステップＳ１１８）、処理を終了する。
【００７３】
また、分析結果画面は、上記のように、試料の測定及び測定データ処理を完了した後に表示されるだけでなく、ユーザが過去の分析結果の中から表示したい分析結果を検体番号等により指定した場合にも、その分析結果に係る分析結果画面を表示することが可能である。
【００７４】
本実施の形態に係る試料分析装置１は、上記のように分析結果画面が表示されている状態において、スキャッタグラム又はヒストグラムが指定される操作がなされた場合に、その指定されたスキャッタグラム又はヒストグラムにおける粒子の分布状態を説明する説明情報が表示される。以下、この説明情報表示処理について具体的に説明する。
【００７５】
本実施の形態に係る試料分析装置１においては、説明情報の表示に関する設定データが予めハードディスク３１ｄに記憶されている。図１１は、説明情報表示に関する設定データの構造を模式的に示す図である。この設定データ５には、説明情報のポップアップ表示の可否を定義する設定値として、ポップアップ表示許可設定５１（ＯＮ又はＯＦＦ）が含まれている。ポップアップ表示許可設定５１が「ＯＮ」の場合には、後述する指定方法（表示タイミング）により粒子分布図が指定されたときに、その粒子分布図における粒子の分布状態を説明する説明情報がポップアップ表示される。これに対して、ポップアップ表示許可設定５１が「ＯＦＦ」の場合には、説明情報はポップアップ表示されない。
【００７６】
また、図１１に示すように、設定データ５には、表示内容の設定値として、分析項目名５２ａ（ＯＮ又はＯＦＦ）、計数値５２ｂ（ＯＮ又はＯＦＦ）、分類異常情報５２ｃ（ＯＮ又はＯＦＦ）、粒子数異常情報５２ｄ（ＯＮ又はＯＦＦ）、及び二峰情報５２ｅ（ＯＮ又はＯＦＦ）が含まれている。分析項目名５２ａが「ＯＮ」の場合には、スキャッタグラムが指定されたときにポップアップ表示される説明情報に、そのスキャッタグラムに現れている粒子の種類（分析項目名）が含まれる。一方、分析項目名５２ａが「ＯＦＦ」の場合には、上記の分析項目名の表示はされない。なお、この分析項目名５２ａが「ＯＮ」に設定されていても、ヒストグラムでは分析項目名のポップアップ表示は行われない。
【００７７】
計数値５２ｂが「ＯＮ」の場合には、スキャッタグラム又はヒストグラムが指定されたときにポップアップ表示される説明情報に、そのスキャッタグラム又はヒストグラムに現れている粒子数が含まれる。この粒子数は、スキャッタグラムの場合にはその種類毎に表示され、ヒストグラムの場合には、表示対象の種類の粒子の計数値（ＲＢＣヒストグラムの場合は赤血球数、ＷＢＣヒストグラムの場合は白血球数）が表示される。一方、計数値５２ｂが「ＯＦＦ」の場合には、上記の粒子数の表示はされない。
【００７８】
分類異常情報５２ｃが「ＯＮ」の場合には、スキャッタグラムが指定されたときにポップアップ表示される説明情報に、そのスキャッタグラム中で発生している分類異常の情報が含まれる。一方、分類異常情報５２ｃが「ＯＦＦ」の場合には、上記の分類異常情報の表示はされない。なお、この分類異常情報５２ｃが「ＯＮ」に設定されていても、ヒストグラムでは分類異常情報のポップアップ表示は行われない。
【００７９】
粒子数異常情報５２ｄが「ＯＮ」の場合には、スキャッタグラム又はヒストグラムが指定されたときにポップアップ表示される説明情報に、そのスキャッタグラム又はヒストグラムにおいて出現している粒子に関する粒子数異常の情報が含まれる。一方、粒子数異常情報５２ｄが「ＯＦＦ」の場合には、上記の粒子数異常情報の表示はされない。
【００８０】
二峰情報５２ｅが「ＯＮ」の場合には、二峰のヒストグラムが指定されたときにポップアップ表示される説明情報に、二峰を示す情報が含まれる。一方、二峰情報５２ｅが「ＯＦＦ」の場合には、上記の二峰情報の表示はされない。なお、この二峰情報５２ｅが「ＯＮ」に設定されていても、スキャッタグラムでは二峰情報のポップアップ表示は行われない。
【００８１】
また、図１１に示すように、設定データ５には、表示タイミングの設定値５３が含まれている。この表示タイミング５３としては、「カーソル到達時」、「カーソル到達後所定時間経過時」、及び「クリック時」の何れかの設定値が与えられる。表示タイミング５３が「カーソル到達時」の場合には、スキャッタグラム又はヒストグラムにマウスカーソル（ポインタ）が到達したときに、説明情報がポップアップ表示される。表示タイミング５３が「カーソル到達後所定時間経過時」の場合には、スキャッタグラム又はヒストグラムにマウスカーソルが到達した後、所定時間が経過したときに、説明情報がポップアップ表示される。なお、マウスカーソルがスキャッタグラム又はヒストグラムに到達してから説明情報がポップアップ表示されるまでの時間は、ユーザが１秒単位で設定することができる。また、表示タイミング５３が「クリック時」の場合には、ユーザがマウス等のポインティングデバイスを用いてスキャッタグラム又はヒストグラムの上でクリック操作を行った場合に、説明情報がポップアップ表示される。
【００８２】
図１２は、スキャッタグラムにおける説明情報の表示処理の手順を示すフローチャートである。前記設定データ５のポップアップ表示許可設定５１が「ＯＮ」の場合は、情報処理ユニット３のＣＰＵ３１ａは、スキャッタグラムＳ１〜Ｓ４の何れかが指定されたか否かを判定する（ステップＳ１５１）。この処理においては、前述した表示タイミング５３の設定値により定義された指定条件に合致する操作がスキャッタグラムに対して行われたときに、スキャッタグラムが指定されたことが検出される。そして、ＣＰＵ３１ａがスキャッタグラムの指定を検出した場合に、ＣＰＵ３１ａに対する割り込み要求が発生し、以下の説明情報の表示に関する処理が呼び出される。
【００８３】
まず、ＣＰＵ３１ａは、指定されたスキャッタグラムの各粒子の種類のクラスターの重心位置を算出する（ステップＳ１５２）。例えば、スキャッタグラムＳ２（図７Ａ参照）が指定された場合には、スキャッタグラムＳ２上に出現している赤血球のクラスター（集団）の重心位置を、赤血球に分類された各粒子の前方散乱光強度（ＦＳＣ）と側方蛍光強度（ＦＬＬ）とから算出する。同様に、白血球のクラスターの重心位置、上皮細胞のクラスターの重心位置、及び細菌のクラスターの重心位置をそれぞれ算出する。
【００８４】
次に、ＣＰＵ３１ａは、各クラスターの重心位置を頂点とする多角形の重心位置を算出する（ステップＳ１５３）。そして、ＣＰＵ３１ａは、設定データ５の分析項目名５２ａ、計数値５２ｂ、分類異常情報５２ｃ、及び粒子数異常情報５２ｄの設定値に応じて説明情報を生成する（ステップＳ１５４）。本実施の形態では、文字による説明情報が生成される。例えば、分析項目名５２ａが「ＯＮ」であり、その他の表示内容の設定値が「ＯＦＦ」である場合には、そのスキャッタグラムに出現している粒子のそれぞれの分析項目名（「ＲＢＣ」、「ＷＢＣ」、「ＥＣ」、「ＢＡＣＴ」）のみからなる説明情報が生成される。また、分析項目名５２ａと計数値５２ｂとが「ＯＮ」であり、その他の表示内容の設定値が「ＯＦＦ」の場合には、分析項目名と、対応する種類の粒子数とからなる説明情報が粒子の種類毎に生成される。例えば、白血球の粒子数が１２１０．６／μｍの場合には、白血球の説明情報として、「ＷＢＣ  １２１０．６／μｍ」が生成される。また、分析項目名５２ａと分類異常情報５２ｃとが「ＯＮ」であり、その他の表示内容の設定値が「ＯＦＦ」の場合には、分析項目名と、分類異常情報とからなる説明情報が粒子の種類毎に生成される。なお、分類異常情報は、対応する種類の粒子に分類異常が生じている場合にのみ説明情報に付加される。例えば、赤血球・細菌分類異常が発生している（つまり、ＲＢＣ／ＢＡＣＴ分類異常フラグが「ＯＮ」である）場合には、赤血球の説明情報として、「ＲＢＣ／ＢＡＣＴ分類異常」が生成される。また、分析項目名５２ａと粒子数異常情報５２ｄとが「ＯＮ」であり、その他の表示内容の設定値が「ＯＦＦ」の場合には、分析項目名と、粒子数異常情報とからなる説明情報が粒子の種類毎に生成される。なお、粒子数異常情報は、対応する種類の粒子に粒子数異常が生じている場合にのみ説明情報に付加される。例えば、赤血球数異常が発生している（つまり、赤血球数異常フラグが「ＯＮ」である）場合には、赤血球の説明情報として、「ＲＢＣ粒子数異常」が生成される。
【００８５】
次に、ＣＰＵ３１ａは、説明情報をポップアップ表示する（ステップＳ１５５）。説明情報が付加されたスキャッタグラムを説明する。図１３は、説明情報がポップアップ表示されたスキャッタグラムの一例を示す図である。図１３には、説明情報の表示内容の設定値として分析項目名５２ａのみが「ＯＮ」とされている場合の例を示している。図１２に示すように、ステップＳ１５５の処理では、スキャッタグラムＳ２に表示されているクラスターＣ１〜Ｃ４の重心位置から線分Ｌ１〜Ｌ４が描画され、その線分Ｌ１〜Ｌ４の先端に文字情報によって構成された説明情報が含まれた四角形の領域Ｒ１〜Ｒ４が描画される。これらの説明情報の領域Ｒ１〜Ｒ４のうち、白血球に係る説明情報の領域Ｒ２は、スキャッタグラムＳ２の一部に重ねて（重畳して）表示される。つまり、スキャッタグラムＳ２において領域Ｒ２と重なっている部分は、当該領域Ｒ２によって隠れており、表示されない。また、他の領域Ｒ１，Ｒ３，Ｒ４は、スキャッタグラムＳ２が表示されている領域の外側に表示される。前記線分Ｌ１〜Ｌ４は、所定の長さの線分であり、且つ、その延長線上にステップＳ１５３で算出した各クラスターＣ１〜Ｃ４の重心位置を頂点とする多角形の重心位置Ｇが存在する線分とされる。上記のような位置に説明情報Ｒ１〜Ｒ４を表示することにより、説明情報Ｒ１〜Ｒ４によってスキャッタグラムの各クラスターＣ１〜Ｃ４が隠れることが防止され、スキャッタグラムの視認性を阻害することなく、そのスキャッタグラムにおける粒子の分布状態の説明情報が表示される。したがって、ユーザは説明情報を参照しつつ、スキャッタグラムを確認することができ、スキャッタグラムに現れている粒子の分布状態を容易に把握することができる。
【００８６】
上記のように、計数値、分類異常情報、及び粒子数異常情報の少なくとも１つが含まれる説明情報は、粒子分布図毎に定まる情報であり、粒子分布図の分布状態に応じて変化する情報である。即ち、計数値（粒子数）は、スキャッタグラム上に分布している粒子の数を示す情報であり、分類異常情報は、スキャッタグラムの粒子の分布状態によって分類異常が生じている場合に、その分類異常を示す情報であり、粒子数異常情報は、スキャッタグラム上に出現している特定の種類の粒子の粒子数に異常が生じている場合に、その粒子数異常を示す情報であるため、これらの情報はスキャッタグラムの分布状態に応じて変化するものである。
【００８７】
当該スキャッタグラムからマウスカーソルが外れた（スキャッタグラムの指定が解除された）ことをＣＰＵ３１ａが検出すると（ステップＳ１５６）、ＣＰＵ３１ａに割り込み要求が発生し、ＣＰＵ３１ａは、スキャッタグラムに付加されていた説明情報の表示を終了し（ステップＳ１５７）、処理を終了する。
【００８８】
図１４は、ヒストグラムにおける説明情報の表示処理の手順を示すフローチャートである。前記設定データ５のポップアップ表示許可設定５１が「ＯＮ」の場合は、情報処理ユニット３のＣＰＵ３１ａは、ＲＢＣヒストグラム及びＷＢＣヒストグラムの何れかが指定されたか否かを判定する（ステップＳ１６１）。この処理においては、前述した表示タイミング５３の設定値により定義された指定条件に合致する操作がヒストグラムに対して行われたときに、ヒストグラムが指定されたことが検出される。そして、ＣＰＵ３１ａがヒストグラムの指定を検出した場合に、ＣＰＵ３１ａに対する割り込み要求が発生し、以下の説明情報の表示に関する処理が呼び出される。
【００８９】
まず、ＣＰＵ３１ａは、設定データ５の計数値５２ｂ及び二峰情報５２ｅの設定値に応じて説明情報を生成する（ステップＳ１６２）。次に、ＣＰＵ３１ａは、説明情報をポップアップ表示する（ステップＳ１６３）。ステップＳ１６３の処理では、ヒストグラムから線分が描画され、その線分の先端に文字情報によって構成された説明情報が含まれた四角形の領域が描画される。前記線分は、所定方向へ延びる所定の長さの線分である。例えば、設定データ５の表示内容に関する設定値のうち、二峰情報５２ｅが「ＯＮ」であり、計数値５２ｂの設定値が「ＯＦＦ」の場合には、二峰と判定されたヒストグラムの説明情報として「二峰」が表示される。
【００９０】
上記のように、二峰情報が含まれる説明情報は、粒子分布図毎に定まる情報であり、粒子分布図の分布状態に応じて変化する情報である。即ち、二峰情報は、ヒストグラムの形態が二峰である場合に、その形態を示す情報であるため、この情報はヒストグラムの分布状態に応じて変化するものである。
【００９１】
当該ヒストグラムからマウスカーソルが外れた（ヒストグラムの指定が解除された）ことをＣＰＵ３１ａが検出すると（ステップＳ１６４）、ＣＰＵ３１ａに割り込み要求が発生し、ＣＰＵ３１ａは、ヒストグラムに付加されていた説明情報の表示を終了し（ステップＳ１６５）、処理を終了する。
【００９２】
次に、上述した説明情報表示の設定データ５を生成する処理（ポップアップ表示設定処理）について説明する。図１５は、ポップアップ表示設定処理の流れを示すフローチャートである。試料分析装置１の情報処理ユニット３にメイン画面又は分析結果画面等が表示されている状態において、ポップアップ表示設定ダイアログの表示を指示する操作がユーザによって行われると、ＣＰＵ３１ａがその操作を受け付け（ステップＳ１７１）、ＣＰＵ３１ａに割り込み要求が発生し、ＣＰＵ３１ａがポップアップ表示設定ダイアログを表示する（ステップＳ１７２）。
【００９３】
図１６Ａ〜図１６Ｃは、ポップアップ表示設定ダイアログを示す図である。図１６Ａ〜図１６Ｃに示すように、ポップアップ表示設定ダイアログ６には、「表示の有無」、「表示内容」、「表示タイミング」とそれぞれ表示された３つのタグ６１ａ〜６１ｃが設けられている。図１６Ａに示すように、「表示の有無」タグ６１ａが選択されているときは、２つの選択肢「ポップアップ表示あり」及び「ポップアップ表示なし」が表示される。「ポップアップ表示あり」の左にはラジオボタン６２ａが、「ポップアップ表示なし」の左にはラジオボタン６２ｂがそれぞれ表示される。ユーザは、ラジオボタン６２ａ，６２ｂの何れかを選択（クリック）することにより、「ポップアップ表示あり」及び「ポップアップ表示なし」の何れかを選択することができる。
【００９４】
図１６Ｂに示すように、「表示内容」タグ６１ｂが選択されているときは、５つの選択肢「分析項目の項目名」、「計数値」、「分類異常情報」、「粒子数異常情報」、及び「二峰情報」が表示される。上記５つの選択肢それぞれの左側に１つずつチェックボックス６３ａ〜６３ｅが表示される。これらの選択肢は複数を同時に選択することが可能である。ユーザは、チェックボックス６３ａ〜６３ｅの１又は複数を選択（クリック）することにより、そのチェックボックスに対応する選択肢を選択することができる。
【００９５】
図１６Ｃに示すように、「表示タイミング」タグ６１ｃが選択されているときは、３つの選択肢「カーソル到達時」、「カーソル到達後（設定値）秒」、及び「クリック時」が表示される。「カーソル到達時」の左にはラジオボタン６４ａが、「カーソル到達後（設定値）秒」の左にはラジオボタン６４ｂが、「クリック時」の左にはラジオボタン６４ｃがそれぞれ表示される。ユーザは、ラジオボタン６４ａ〜６４ｃの何れかを選択（クリック）することにより、「カーソル到達時」、「カーソル到達後（設定値）秒」及び「クリック時」の何れかを選択することができる。また、「カーソル到達後（設定値）秒」の表示においては、「カーソル到達後」の表示の右に入力ボックス６５が表示され、その入力ボックス６５にカーソル到達してから説明情報が表示されるまでの時間を入力することが可能になっている。ラジオボタン６４ｂが選択された場合には、この入力ボックスに入力された時間がカーソル到達から説明情報の表示までの時間として設定される。
【００９６】
また、図１６Ａ〜図１６Ｃに示すように、ポップアップ表示設定ダイアログ６の右下部分には、「閉じる」ボタン６６が設けられている。
【００９７】
上記のようなポップアップ表示設定ダイアログ６において、ユーザは説明情報の表示に関する種々の設定を入力すると、ＣＰＵ３１ａはかかる入力情報を受け付ける（ステップＳ１７３）。さらに、ユーザが「閉じる」ボタン６６をクリックすると、ＣＰＵ３１ａにポップアップ表示設定ダイアログ６の表示終了指示が与えられる。ＣＰＵ３１ａがポップアップ表示設定ダイアログ６の表示終了指示を受け付けると（ステップ１７４）、ＣＰＵ３１ａに割り込み要求が発生し、ＣＰＵ３１ａは、ステップＳ１７３で受け付けた設定情報により設定データ５を更新し（ステップＳ１７５）、ポップアップ表示設定ダイアログ６の表示を終了し（ステップＳ１７６）、処理を終了する。
【００９８】
（実施の形態２）
本実施の形態は、スキャッタグラムに現れている粒子のクラスターが指定されたときに、そのクラスターに対応する粒子の顕微鏡画像を説明情報として表示する試料分析装置である。
【００９９】
本実施の形態に係る試料分析装置は、粒子の種類毎に粒子の顕微鏡画像のデータをハードディスク３１ｄに記憶している。また、本実施の形態に係る試料分析装置は、説明情報の表示に関する設定データに、表示内容の設定値（実施の形態１における分析項目名５２ａ、計数値５２ｂ、分類異常情報５２ｃ、粒子数異常情報５２ｄ、及び二峰情報５２ｅ）が含まれておらず、説明情報として顕微鏡画像のみを表示する構成となっている。本実施の形態に係る試料分析装置のその他の構成は、実施の形態１で説明した試料分析装置の構成と同様であるので、その説明を省略する。
【０１００】
次に、本実施の形態に係る試料分析装置の説明情報の表示動作について説明する。図１７は、本実施の形態に係る試料分析装置のスキャッタグラムにおける説明情報の表示処理の手順を示すフローチャートである。設定データ５のポップアップ表示許可設定５１が「ＯＮ」の場合は、情報処理ユニット３のＣＰＵ３１ａは、スキャッタグラムＳ１〜Ｓ４の何れかが指定されたか否かを判定する（ステップＳ２５１）。この処理においては、前述した表示タイミング５３の設定値により定義された指定条件に合致する操作がスキャッタグラムに対して行われたときに、スキャッタグラムが指定されたことが検出される。そして、ＣＰＵ３１ａがスキャッタグラムの指定を検出した場合に、ＣＰＵ３１ａに対する割り込み要求が発生し、以下の説明情報の表示に関する処理が呼び出される。
【０１０１】
ＣＰＵ３１ａは、マウスカーソルがスキャッタグラムの何れのクラスター上に位置しているか、即ち、何れのクラスターが指定されているかを検出し（ステップＳ２５２）、指定されているクラスターに対応する顕微鏡画像をハードディスク３１ｄから読み出す（ステップＳ２５３）。次に、ＣＰＵ３１ａは、説明情報として顕微鏡画像をポップアップ表示する（ステップＳ２５４）。図１８Ａ及び図１８Ｂは、粒子の顕微鏡画像を説明情報としてポップアップ表示したときのスキャッタグラムの表示例を示す図であり、図１８Ａは、赤血球の顕微鏡画像が表示されたときの例であり、図１８Ｂは、細菌の顕微鏡画像が表示されたときの例である。ステップＳ２５４の処理では、図１８Ａ及び図１８Ｂに示すように、スキャッタグラムから線分Ｌが描画され、その線分の先端に顕微鏡画像が含まれた四角形の領域が描画される。図１８Ａは、赤血球のクラスターが指定された場合における表示例を示している。図１８Ａに示すように、赤血球のクラスターが指定された場合には、赤血球の顕微鏡画像Ｐ２１が表示される。また、図１８Ｂは、細菌のクラスターが指定された場合における表示例を示している。図１８Ｂに示すように、細菌のクラスターが指定された場合には、細菌の顕微鏡画像Ｐ２２が表示される。図１８Ａ及び図１８Ｂにおいて、線分Ｌは、所定方向へ延びる所定の長さの線分である。
【０１０２】
当該スキャッタグラムからマウスカーソルが外れた（スキャッタグラムの指定が解除された）ことをＣＰＵ３１ａが検出すると（ステップＳ２５５）、ＣＰＵ３１ａに割り込み要求が発生し、ＣＰＵ３１ａは、スキャッタグラムに付加されていた説明情報の表示を終了し（ステップＳ２５６）、処理を終了する。
【０１０３】
また、ヒストグラムが指定された場合にも、上記と同様にヒストグラムに現れている粒子の種類に応じた顕微鏡画像が説明情報として表示される。ヒストグラムの場合は、スキャッタグラムとは異なり、１つのヒストグラムが１種類の粒子に対応している（ＲＢＣヒストグラムは赤血球に対応し、ＷＢＣヒストグラムは白血球に対応している）ため、マウスカーソルがヒストグラム上のどの位置にあるかは検出されず、ヒストグラムが指定されたことが検出されれば、そのヒストグラムに対応する種類の粒子の顕微鏡画像が読み出され、説明情報として表示される。
【０１０４】
上記のように構成することにより、スキャッタグラム上のクラスターに対応する顕微鏡画像が表示されるため、ユーザは、どのような粒子がスキャッタグラム上でどのように分布しているのかを容易に理解することができる。
【０１０５】
（実施の形態３）
本実施の形態は、粒子分類異常が生じたときに、スキャッタグラム上の粒子分類異常に対応する箇所を説明する説明情報を表示する試料分析装置である。
【０１０６】
本実施の形態に係る試料分析装置は、説明情報の表示に関する設定データに、表示内容の設定値（実施の形態１における分析項目名５２ａ、計数値５２ｂ、分類異常情報５２ｃ、粒子数異常情報５２ｄ、及び二峰情報５２ｅ）が含まれておらず、粒子分類異常の発生箇所を説明する説明情報のみを表示する構成となっている。本実施の形態に係る試料分析装置のその他の構成は、実施の形態１で説明した試料分析装置の構成と同様であるので、その説明を省略する。
【０１０７】
次に、本実施の形態に係る試料分析装置の説明情報の表示動作について説明する。図１９は、本実施の形態に係る試料分析装置のスキャッタグラムにおける説明情報の表示処理の手順を示すフローチャートである。設定データ５のポップアップ表示許可設定５１が「ＯＮ」の場合は、情報処理ユニット３のＣＰＵ３１ａは、スキャッタグラムＳ１〜Ｓ４の何れかが指定されたか否かを判定する（ステップＳ３５１）。この処理においては、前述した表示タイミング５３の設定値により定義された指定条件に合致する操作がスキャッタグラムに対して行われたときに、スキャッタグラムが指定されたことが検出される。そして、ＣＰＵ３１ａがスキャッタグラムの指定を検出した場合に、ＣＰＵ３１ａに対する割り込み要求が発生し、以下の説明情報の表示に関する処理が呼び出される。
【０１０８】
ＣＰＵ３１ａは、指定されたスキャッタグラムに出現している粒子の種類に関連する分類異常が発生しているか否かを判定する（ステップＳ３５２）。例えば、赤血球と結晶とが出現しているスキャッタグラムが指定されたときに、ＲＢＣ／Ｘ’ＴＡＬ分類異常フラグが「ＯＮ」となっている場合には、スキャッタグラムに出現している粒子の種類に関連する分類異常が発生していると判定される。ステップＳ３５２において、当該スキャッタグラムに関連する分類異常が発生していない場合には（ステップＳ３５２でＮＯ）、ＣＰＵ３１ａは、処理を終了する。
【０１０９】
また、ステップＳ３５２において、当該スキャッタグラムに関連する分類異常が発生している場合には（ステップＳ３５２においてＹＥＳ）、ＣＰＵ３１ａは、当該スキャッタグラムにおいて分類異常が発生している位置を特定する（ステップＳ３５３）。例えば、赤血球・結晶分類異常が発生している場合には、スキャッタグラム中の赤血球のクラスターと結晶のクラスターとの境界が、分類異常が発生している位置として特定される。
【０１１０】
次に、ＣＰＵ３１ａは、説明情報を生成する（ステップＳ３５４）。この処理においては、特定された分類異常の発生しているスキャッタグラム中の位置において当該スキャッタグラムを切り取った部分画像を取り込み、その部分画像の拡大画像と「分画異常」という文字列とを含む説明情報を生成する。ＣＰＵ３１ａは、このようにして生成された説明画像をポップアップ表示する（ステップＳ３５５）。図２０は、分類異常が発生した位置におけるスキャッタグラムの一部の拡大画像を説明情報としてポップアップ表示したときのスキャッタグラムの表示例を示す図である。ステップＳ３５５の処理では、図２０に示すように、ステップＳ３５３において特定された位置から線分Ｌが描画され、その線分Ｌの先端に前記拡大画像が含まれた四角形の領域Ｐ３１が描画される。
【０１１１】
当該スキャッタグラムからマウスカーソルが外れた（スキャッタグラムの指定が解除された）ことをＣＰＵ３１ａが検出すると（ステップＳ３５６）、ＣＰＵ３１ａに割り込み要求が発生し、ＣＰＵ３１ａは、スキャッタグラムに付加されていた説明情報の表示を終了し（ステップＳ３５７）、処理を終了する。
【０１１２】
上記のように構成することにより、ユーザは、スキャッタグラム上の分類異常が発生している位置を容易に把握することができる。また、分類異常の発生位置におけるスキャッタグラムの一部の拡大画像が表示されるため、ユーザは、分類異常が生じている部分の粒子の分布状態を容易に確認することができる。
【０１１３】
（実施の形態４）
本実施の形態は、ユーザがヒストグラム上の位置を指定したときに、前方散乱光強度（つまり、粒子の大きさ）がその指定位置に対応する値以下の粒子数を算出し、その算出された粒子数の当該ヒストグラムに出現している全粒子数に対する割合を求め、当該割合を含む説明情報を表示する試料分析装置である。
【０１１４】
本実施の形態に係る試料分析装置は、説明情報の表示に関する設定データに、表示内容の設定値（実施の形態１における分析項目名５２ａ、計数値５２ｂ、分類異常情報５２ｃ、粒子数異常情報５２ｄ、及び二峰情報５２ｅ）が含まれておらず、上記の割合を含む説明情報のみを表示する構成となっている。本実施の形態に係る試料分析装置のその他の構成は、実施の形態１で説明した試料分析装置の構成と同様であるので、その説明を省略する。
【０１１５】
次に、本実施の形態に係る試料分析装置の説明情報の表示動作について説明する。図２１は、本実施の形態に係る試料分析装置のヒストグラムにおける説明情報の表示処理の手順を示すフローチャートであり、図２２は、当該説明情報の表示処理により表示された説明情報の一例を示す図である。設定データ５のポップアップ表示許可設定５１が「ＯＮ」の場合は、情報処理ユニット３のＣＰＵ３１ａは、ＲＢＣヒストグラム又はＷＢＣヒストグラムが指定されたか否かを判定する（ステップＳ４６１）。この処理においては、前述した表示タイミング５３の設定値により定義された指定条件に合致する操作がヒストグラムに対して行われたときに、ヒストグラムが指定されたことが検出される。そして、ＣＰＵ３１ａがヒストグラムの指定を検出した場合に、ＣＰＵ３１ａに対する割り込み要求が発生し、以下の説明情報の表示に関する処理が呼び出される。
【０１１６】
ＣＰＵ３１ａは、マウスカーソルのヒストグラムにおける位置、つまり、ユーザから指定されたヒストグラム上の位置を検出し（ステップＳ４６２）、図２２に示すように、その位置にカーソル４０２（縦棒）を描画し、ヒストグラムの曲線４０１より下側の領域であり、且つ、前記カーソル４０２より前方散乱光強度（横軸の値）が小さい領域４０３を、例えば黄色で描画して、演算対象となる領域４０３を他の領域と区別して表示する（ステップＳ４６３）。ここで、演算対象領域４０３には、粒子の大きさが前記カーソル４０２の位置に対応する大きさ以下の粒子が含まれる。次に、ＣＰＵ３１ａは、演算対象領域４０３に含まれる粒子数を演算し（ステップＳ４６４）、その演算結果の粒子数の当該ヒストグラムに出現している全粒子数に対する割合を演算する（ステップＳ４６５）。そして、ＣＰＵ３１ａは、ステップＳ４６５によって算出した割合と、カーソル４０２で指示される前方散乱光強度（チャンネル）とを含む説明情報を生成する（ステップＳ４６６）。
【０１１７】
次に、ＣＰＵ３１ａは、説明情報をポップアップ表示する（ステップＳ４６７）。ステップＳ４６７の処理では、ヒストグラム中のカーソル４０２から線分４０４が描画され、その線分４０４の先端に文字情報によって構成された説明情報が含まれた四角形の領域４０５が描画される。前記線分４０４は、所定方向へ延びる所定の長さの線分である。
【０１１８】
当該ヒストグラムからマウスカーソルが外れた（ヒストグラムの指定が解除された）ことをＣＰＵ３１ａが検出すると（ステップＳ４６８）、ＣＰＵ３１ａに割り込み要求が発生し、ＣＰＵ３１ａは、ヒストグラムに付加されていた説明情報の表示を終了し（ステップＳ４６９）、処理を終了する。
【０１１９】
上記のような構成とすることにより、ユーザは、ヒストグラム中の位置を指定することにより、前方散乱光強度（つまり、粒子の大きさ）がその指定位置に対応する値以下の粒子数の全粒子数に対する割合を容易に知ることができる。また、ユーザは、その指定位置に対応する前方散乱光強度の値（チャンネル）を容易に知ることができる。
【０１２０】
（実施の形態５）
本実施の形態は、血液中に含まれる血球を分析してスキャッタグラムを作成し、そのスキャッタグラムにおける血球の分布状態を説明する説明情報を付加して、前記スキャッタグラムを表示する試料分析装置である。
【０１２１】
本実施の形態に係る試料分析装置は、光学式フローサイトメトリー方式の多項目血球分析装置であり、血液試料に含まれる血球に関して側方散乱光強度、蛍光強度等を取得し、これらに基づいて試料中に含まれる白血球を５種類（単球、好中球、好酸球、好塩基球、及びリンパ球）に分類し、このように分類された白血球が種類毎に色分けされたスキャッタグラムを作成し、これを表示する。
【０１２２】
また、本実施の形態に係る試料分析装置は、表示したスキャッタグラム上にマウスカーソルが位置する等、スキャッタグラムを指定する操作を受け付けた場合に、そのスキャッタグラム上に出現している粒子の分布状態を説明する説明情報をポップアップ表示するように構成されている。
【０１２３】
図２３Ａは、本実施の形態に係る試料分析装置が説明情報をポップアップ表示したときのスキャッタグラムの表示例を示す図である。本実施の形態に係る試料分析装置は、スキャッタグラムの指定を検出し、且つ、マウスカーソルがスキャッタグラムの何れのクラスター上に位置しているかを検出したときに、その指定されたクラスターに対応する粒子の種類を説明する説明情報をポップアップ表示する。図２３Ａに示すように、スキャッタグラム５０１の中に５つのクラスター５０２ａ〜５０２ｅが表示されており、マウスカーソル５０３がクラスター５０２ａ上に位置している場合には、当該クラスター５０２ａに対応する白血球の種類である「Ｍｏｎｏ（単球）」の文字列と、そのクラスターの粒子数の文字列とからなる説明情報５０４がスキャッタグラム上に重ねられて表示される。本実施の形態では、マウスカーソル５０３の矢印の基端部分に説明情報５０４の左上隅部が重なるようにして、マウスカーソル５０３の近傍に説明情報５０４が表示される。
【０１２４】
（その他の実施の形態）
なお、上述した実施の形態１においては、説明情報を１行の文字列で表示する構成について述べたが、これに限定されるものではない。説明情報を１行で表示するだけでなく、所定よりも文字数が多い場合は、所定文字数で改行し、複数行で表示してもよい。また、説明情報に含まれる項目（分析項目名、計数値、分類異常情報、粒子数異常情報、及び二峰情報）毎に改行し、複数行により表示してもよい。
【０１２５】
また、上述した実施の形態１においては、二峰情報として「二峰」という表示を行う構成について述べたが、かかる説明情報は二峰であることをユーザに説明するための情報であればよく、これに限定されるものではない。ヒストグラムの２つのピークの位置にそれぞれ「ピーク１」、「ピーク２」等のピークであることを示す説明情報を表示することも可能であるし、これらのピークの位置にそのピーク位置における前方散乱光強度（チャンネル数）を示す説明情報を表示することも可能である。
【０１２６】
また、上述した実施の形態１においては、スキャッタグラム中の各クラスターの重心位置から所定の長さの線分を、前記各クラスターの重心位置を頂点とする多角形の重心位置から離反する方向へ延ばして描画し、その先端に説明情報を描画する構成について述べ、また、実施の形態２においては、所定方向に所定長さだけ延びる線分を描画し、その先端に説明情報を描画する構成について述べたが、これらに限定されるものではない。スキャッタグラム又はヒストグラムを複数の領域に区分し、線分の基端が属する領域によって、その線分の長手方向を定める構成としてもよい。例えば、スキャッタグラムの縦方向及び横方向の中央線によってスキャッタグラムを４つの領域に区分け、右上の領域に線分の基端が属する場合には、その線分の長手方向を右方向とし、右下の領域に線分の基端が属する場合には、その線分の長手方向を下方向とし、左下の領域に線分の基端が属する場合には、その線分の長手方向を左方向とし、左上の領域に線分の基端が属する場合には、その線分の長手方向を上方向としてもよい。このとき、線分の基端から先端へと向かう方向が、スキャッタグラムから離れる方向となることが好ましい。例えば、右上の領域であれば、線分の基端から先端へと向かう方向が右方向又は上方向であれば、その線分がスキャッタグラムを横切ることが防止され、スキャッタグラムの視認性を阻害することが抑制される。また、線分の長さにもよるが、スキャッタグラムの外側に線分の先端が位置することが多くなり、このため線分の先端に描画される説明情報がスキャッタグラムの外側に位置するか、重なったとしてもスキャッタグラムの端部で重なる場合が多くなる。これにより、説明情報によりスキャッタグラムが隠されることが防止され、スキャッタグラムの視認性を阻害することが抑制される。
【０１２７】
また、上述した実施の形態１においては、スキャッタグラム中の各クラスターの重心位置を決定し、その重心位置から線分を描画し、その線分の先端に説明情報を表示する構成について述べたが、これに限定されるものではない。クラスターの位置を示す代表位置として、クラスターの内部の位置であればどのような位置を採用してもよい。クラスターに属する１つの粒子の位置を、クラスターの代表位置として決定し、その位置から延びる線分を描画し、その先端に説明情報を表示することもできるし、クラスターに属する粒子の各位置の平均を求め、その位置をクラスターの代表位置とし、その位置から延びる線分を描画し、その先端に説明情報を表示することもできる。
【０１２８】
また、上述した実施の形態１においては、スキャッタグラム中の各クラスターの重心位置を基端とする線分を描画し、その先端に説明情報を描画することにより、説明情報を前記クラスターと関連づけて表示する構成について述べたが、これに限定されるものではない。クラスターの代表位置と関連づけて説明情報が表示される態様であればよく、クラスターを代表する位置（重心位置等）に直接説明情報を重畳表示することもできるし、説明情報を含む吹き出しを、クラスターを代表する位置を指示するように、即ち、吹き出しから突出する三角状の先鋭部の先端が前記代表位置に位置するように表示することもできる。
【０１２９】
また、上述した実施の形態２においては、説明情報として粒子の顕微鏡画像のみが表示される構成について述べたが、これに限定されるものではなく、顕微鏡画像に加えて、分析項目名、計数値、分類異常情報、及び／又は粒子数異常情報等を説明情報として表示することも可能である。
【０１３０】
また、実施の形態３においては、分類異常が発生している位置におけるスキャッタグラムの一部の拡大画像を含む説明情報をポップアップ表示する構成について述べたが、これに限定されるものではない。分類異常が生じていることを認識することができる表示であれば、説明情報はどのような情報であってもよく、例えば、「分類異常」という文字のみが表示される構成であってもよい。
【０１３１】
また、上述した実施の形態４においては、ユーザがヒストグラム上の位置を指定したときに、前方散乱光強度（つまり、粒子の大きさ）がその指定位置に対応する値以下の粒子数を算出し、その算出された粒子数の当該ヒストグラムに出現している全粒子数に対する割合を求め、当該割合を含む説明情報を表示する構成について述べたが、これに限定されるものではない。前方散乱光強度がその指定位置に対応する値以上の粒子数を算出し、その算出された粒子数の当該ヒストグラムに出現している全粒子数に対する割合を求め、当該割合を含む説明情報を表示する構成としてもよい。また、指定されたヒストグラムにおける前方散乱光の所定の範囲（例えば、所定の下限値及び上限値の間の範囲）の粒子数を算出し、その算出された粒子数の当該ヒストグラムに出現している全粒子数に対する割合を求め、当該割合を含む説明情報を表示する構成としてもよい。
【０１３２】
また、上述した実施の形態５においては、図２３Ａに示すような説明情報をポップアップ表示する構成について述べたが、これに限定されるものではない。図２３Ｂ〜図２３Ｄは、試料分析装置が説明情報をポップアップ表示したときのスキャッタグラムの表示の他の例を示す図である。試料分析装置が、スキャッタグラムの指定を検出したときに、図２３Ｂに示すように、各クラスターから、当該クラスターに対応する粒子の種類名、及び粒子数を含む説明情報をそれぞれ表示する構成としてもよいし、図２３Ｃに示すように、各クラスターから、当該クラスターに対応する粒子の種類名と、そのクラスターの重心座標とを含む説明情報を表示してもよい。これらの場合において、各クラスターの重心位置から実施の形態１において説明した線分と同様の方向へ延びる線分を描画し、その線分の先端に説明情報を表示することができる。
【０１３３】
また、図２３Ｄに示すように、複数の試料のスキャッタグラムを並べて表示する構成とし、何れかのスキャッタグラムが指定されたときに、それぞれのスキャッタグラムにおける粒子の分布状態を説明する説明情報を全てのスキャッタグラムにそれぞれ付加して表示してもよい。
【０１３４】
また、上述した実施の形態においては、１つのコンピュータ３ａのＣＰＵ３１ａに分析プログラム３４ａを実行させることにより、このコンピュータ３ａを情報処理ユニット３として機能させる構成について述べたが、これに限定されるものではなく、分析プログラム３４ａと実質的に同一の処理を実行するための専用のハードウェア回路により情報処理ユニットを構成することもできる。
【０１３５】
また、上述した実施の形態においては、スキャッタグラム又はヒストグラム上に説明情報をポップアップ表示させる構成について述べたが、これに限定されるものではなく、スキャッタグラム又はヒストグラムを作成する際に、説明情報をスキャッタグラム又はヒストグラム上の位置（例えば、右上隅等の所定位置、又は、クラスターの位置に応じて決定された位置に埋め込んだ状態のスキャッタグラム又はヒストグラムを作成し、これらを表示する構成としてもよい。
【０１３６】
また、上述した実施の形態においては、別個に設けられた測定ユニットと情報処理ユニットによって試料分析装置が構成される場合について述べたが、これに限定されるものではなく、測定ユニットの機能と情報処理ユニットの機能とを一体で備えた試料分析装置としてもよい。
【０１３７】
また、上述した実施の形態においては、単一のコンピュータ３ａにより分析プログラム３４ａの全ての処理を実行する構成について述べたが、これに限定されるものではなく、上述した分析プログラム３４ａと同様の処理を、複数の装置（コンピュータ）により分散して実行する分散システムとすることも可能である。
【産業上の利用可能性】
【０１３８】
本発明の試料分析装置、粒子分布図表示方法、及びコンピュータプログラムは、粒子を含む試料を分析することにより粒子分布図を生成し、粒子分布図を表示する試料分析装置及び粒子分布図表示方法、並びに、コンピュータに粒子分布図を表示させるコンピュータプログラムとして有用である。
【図面の簡単な説明】
【０１３９】
【図１】実施の形態１に係る試料分析装置の構成の概要を示す斜視図。
【図２】測定ユニットの構成を示すブロック図。
【図３】光学検出部の構成を示す模式図。
【図４】情報処理ユニットの構成を示すブロック図。
【図５Ａ】情報処理ユニットによる測定開始指示動作の流れを示すフローチャート。
【図５Ｂ】試料分析装置の試料の分析動作における測定ユニットによる試料の測定動作の流れを示すフローチャート。
【図５Ｃ】試料分析装置の試料の分析動作における情報処理ユニットによる測定データ解析動作の流れを示すフローチャート。
【図６】情報処理ユニットによる測定データの処理の手順を示すフローチャート
【図７Ａ】横軸を第１測定試料を測定したときに得られた蛍光強度（低感度）（ＦＬＬ）とし、縦軸をその前方散乱光強度（ＦＳＣ）とした場合のスキャッタグラム。
【図７Ｂ】横軸を第１測定試料を測定したときに得られた側方散乱光強度（ＳＳＣ）、縦軸をその前方散乱光強度（ＦＳＣ）としたときのスキャッタグラム。
【図７Ｃ】横軸を第１測定試料を測定したときに得られた蛍光強度（高感度）（ＦＬＨ）とし、縦軸をその前方散乱光強度（ＦＳＣ）としたときのスキャッタグラム。
【図７Ｄ】横軸を第１測定試料を測定したときに得られた蛍光信号の幅（蛍光幅、ＦＬＬＷ）とし、縦軸をその第２の蛍光幅（蛍光幅２、ＦＬＬＷ２）としたときのスキャッタグラム。
【図７Ｅ】横軸を第２測定試料を測定したときに得られた蛍光強度（高感度）（Ｂ−ＦＬＨ）とし、縦軸をその前方散乱光強度（高感度）（Ｂ−ＦＳＣ）としたときのスキャッタグラム。
【図８】分類異常の判定処理の手順を示すフローチャート。
【図９】粒子数異常の判定処理の手順を示すフローチャート。
【図１０】分析結果画面の一例を示す模式図。
【図１１】説明情報表示に関する設定データの構造を模式的に示す図。
【図１２】スキャッタグラムにおける説明情報の表示処理の手順を示すフローチャート。
【図１３】説明情報がポップアップ表示されたスキャッタグラムの一例を示す図。
【図１４】ヒストグラムにおける説明情報の表示処理の手順を示すフローチャート。
【図１５】ポップアップ表示設定処理の流れを示すフローチャート。
【図１６Ａ】ポップアップ表示設定ダイアログを示す図。
【図１６Ｂ】ポップアップ表示設定ダイアログを示す図。
【図１６Ｃ】ポップアップ表示設定ダイアログを示す図。
【図１７】実施の形態２に係る試料分析装置のスキャッタグラムにおける説明情報の表示処理の手順を示すフローチャート。
【図１８Ａ】赤血球の顕微鏡画像を説明情報としてポップアップ表示したときのスキャッタグラムの表示例を示す図。
【図１８Ｂ】細菌の顕微鏡画像を説明情報としてポップアップ表示したときのスキャッタグラムの表示例を示す図。
【図１９】実施の形態３に係る試料分析装置のスキャッタグラムにおける説明情報の表示処理の手順を示すフローチャート。
【図２０】分類異常が発生した位置におけるスキャッタグラムの一部の拡大画像を説明情報としてポップアップ表示したときのスキャッタグラムの表示例。
【図２１】実施の形態４に係る試料分析装置のヒストグラムにおける説明情報の表示処理の手順を示すフローチャート。
【図２２】ヒストグラムにおける説明情報の表示処理により表示された説明情報の一例を示す図。
【図２３Ａ】実施の形態５に係る試料分析装置が説明情報をポップアップ表示したときのスキャッタグラムの表示例を示す。
【図２３Ｂ】試料分析装置が説明情報をポップアップ表示したときのスキャッタグラムの表示の他の例を示す図。
【図２３Ｃ】試料分析装置が説明情報をポップアップ表示したときのスキャッタグラムの表示の他の例を示す図。
【図２３Ｄ】試料分析装置が説明情報をポップアップ表示したときのスキャッタグラムの表示の他の例を示す図。
【符号の説明】
【０１４０】
１      試料分析装置
２      測定ユニット
３      情報処理ユニット
２１      試料分配部
２２      試料調製部
２３      光学検出部
３０      信号処理回路
３ａ      コンピュータ
３１ｄ      ハードディスク
３１ｅ      読出装置
３１ｈ      画像出力インタフェース
３２      画像表示部
３４      可搬型記録媒体
３４ａ      分析プログラム
４      分析結果画面
４１      検体属性情報表示部
４２      数値データ表示部
４３      コメント表示部
４４      粒子分布図表示部
５      設定データ
Ｒ１〜Ｒ４      説明情報
Ｓ１〜Ｓ４      スキャッタグラム
Ｌ１〜Ｌ４，Ｌ      線分
【図１】
2010014405.tif 000003
【図２】
2010014405.tif 000004
【図３】
2010014405.tif 000005
【図４】
2010014405.tif 000006
【図５Ａ】
2010014405.tif 000007
【図５Ｂ】
2010014405.tif 000008
【図５Ｃ】
2010014405.tif 000009
【図６】
2010014405.tif 000010
【図７Ａ】
2010014405.tif 000011
【図７Ｂ】
2010014405.tif 000012
【図７Ｃ】
2010014405.tif 000013
【図７Ｄ】
2010014405.tif 000014
【図７Ｅ】
2010014405.tif 000015
【図８】
2010014405.tif 000016
【図９】
2010014405.tif 000017
【図１１】
2010014405.tif 000018
【図１２】
2010014405.tif 000019
【図１３】
2010014405.tif 000020
【図１４】
2010014405.tif 000021
【図１５】
2010014405.tif 000022
【図１６Ａ】
2010014405.tif 000023
【図１６Ｂ】
2010014405.tif 000024
【図１６Ｃ】
2010014405.tif 000025
【図１７】
2010014405.tif 000026
【図１９】
2010014405.tif 000027
【図２１】
2010014405.tif 000028
【図２２】
2010014405.tif 000029
【図１０】
2010014405.tif 000030
【図１８Ａ】
2010014405.tif 000031
【図１８Ｂ】
2010014405.tif 000032
【図２０】
2010014405.tif 000033
【図２３Ａ】
2010014405.tif 000034
【図２３Ｂ】
2010014405.tif 000035
【図２３Ｃ】
2010014405.tif 000036
【図２３Ｄ】
2010014405.tif 000037